(57)【要約】【課題】書込位置が予め定められている被記録物に対して、新たな記録内容を記録する記録装置の提供。【解決手段】被記録物から書込位置を読み取る読取部と、記録装置における被記録物の位置を検出する被記録物検出部と、被記録物への記録を行う記録ヘッドと、被記録物に新たに記録すべき記録内容の入力を受け付ける入力部と、記録ヘッドと被記録物との相対位置を制御し、被記録物における書込位置を、記録ヘッドと対向する位置に合わせる書込位置制御部と、記録ヘッドと対向する位置に合わせられた被記録物の書込位置に、入力部に入力された記録内容を記録する記録制御部とを備える。【選択図】図４
2006168131.tif 000002
【特許請求の範囲】
【請求項１】
被記録物に新たに記録する記録内容の前記被記録物における位置を示す書込位置をコード化して記録する被記録物に対して、前記記録内容を新たに記録する記録装置であって、
前記被記録物から前記書込位置を読み取る読取部と、
前記記録装置における前記被記録物の位置を検出する被記録物検出部と、
前記被記録物への記録を行う記録ヘッドと、
前記被記録物に新たに記録すべき記録内容の入力を受け付ける入力部と、
前記記録ヘッドと前記被記録物との相対位置を制御し、前記被記録物における前記書込位置を、前記記録ヘッドと対向する位置に合わせる書込位置制御部と、
前記記録ヘッドと対向する位置に合わせられた前記被記録物の前記書込位置に、前記入力部に入力された前記記録内容を記録する記録制御部と
を備える記録装置。
【請求項２】
前記被記録物は、前記書込位置を識別する識別情報をコード化した上で、前記書込位置と関連づけて記録しており、
前記読取部は、前記識別情報を前記書込位置と関連づけて更に読み取り、
前記書込位置に関連づけられた前記識別情報を利用者に認識可能な状態で表示する表示部を更に備え、
前記入力部は、前記表示部が、前記書込位置に関連づけられた前記識別情報を前記利用者に認識可能な状態で表示している状態で、前記書込位置に記録すべき前記記録内容の入力を受け付けて、入力された前記記録内容を前記書込位置に対応付けて前記記録制御部に送信し、
前記書込位置制御部は、前記入力部が受け付けた前記記録内容に対応付けられている前記書込位置を、前記記録ヘッドと対向する位置に合わせ、
前記記録制御部は、前記記録ヘッドと対向する位置に合わせられた前記被記録物の前記書込位置に、前記入力部に入力された前記記録内容を記録する、請求項１に記載の記録装置。
【請求項３】
前記被記録物は、前記被記録物に予め記録されている視認可能なフォーマットの画像を示すイメージ情報と、前記フォーマットの前記被記録物における位置を示すフォーマット位置情報とをコード化した上で更に記録しており、
前記読取部は、前記イメージ情報と前記フォーマット位置情報とを更に読み取り、
前記読取部が読み取った前記書込位置と前記イメージ情報と前記フォーマット位置情報とに基づいて、前記被記録物における前記フォーマットと前記書込位置との位置関係を示すプレビュー画像を表示する表示部を更に備え、
前記入力部は、前記表示部が前記プレビュー画像を表示している状態で、前記書込位置に新たに記録すべき前記記録内容の入力を受け付けて、入力された前記記録内容を前記記録制御部に送信する、請求項１に記載の記録装置。
【請求項４】
前記被記録物は、前記書込位置毎に割り当てられた記録範囲をコード化した上で、前記書込位置と関連づけて更に記録しており、
前記読取部は、前記記録範囲を前記書込位置と関連づけて更に読み取り、
前記入力部は、入力を受け付ける前記記録内容を、当該記録内容の書込位置と関連づけて前記読取部に読み取られた前記記録範囲に収まるサイズに調節した後に、サイズを調節した前記記録内容を前記記録制御部に送信する、請求項１に記載の記録装置。
【請求項５】
前記被記録物は、前記書込位置における前記記録内容の向きをコード化した上で、前記書込位置と関連づけて更に記録しており、
前記読取部は、前記記録内容の向きを前記書込位置と関連づけて更に読み取り、
前記入力部は、入力を受け付けた前記記録内容の向きを、当該記録内容の書込位置と関連づけて前記読取部に読み取られた向きに調節した後に、向きを調節した前記記録内容を前記記録制御部に送信する、請求項１に記載の記録装置。
【請求項６】
被記録物に新たに記録する記録内容の前記被記録物における位置を示す書込位置と、前記被記録物に予め記録されている視認可能なフォーマットの画像を示すイメージ情報と、前記フォーマットの前記被記録物における位置を示すフォーマット位置情報とをコード化して記録する前記被記録物に対して、前記記録内容を記録する記録装置と、前記記録内容を入力する入力装置を備える記録システムであって、
前記記録装置は、
前記被記録物から、前記書込位置、前記イメージ情報、及び前記フォーマット位置情報を読み取る読取部と、
前記記録装置における前記被記録物の位置を検出する被記録物検出部と、
前記被記録物への記録を行う記録ヘッドと、
前記記録ヘッドと前記被記録物との相対位置を制御し、前記被記録物から読み取った、前記被記録物における前記書込位置を、前記記録ヘッドと対向する位置に合わせる書込位置制御部と、
を備え、
前記入力装置は、
前記記録装置から取得する、前記書込位置と前記イメージ情報と前記フォーマット位置情報とに基づいて、前記被記録物における前記フォーマットと前記書込位置との位置関係を示すプレビュー画像を表示する表示部と、
前記プレビュー画像に表示されている前記書込位置に新たに記録する前記記録内容の入力を受け付け、入力された前記記録内容を前記書込位置に関連づけて前記記録装置に送信する入力部と
を有し、
前記記録装置はさらに、
前記記録ヘッドと対向する位置に合わせられた前記被記録物の前記書込位置に、前記入力装置から受信する前記記録内容を記録する記録制御部を有する記録システム。
【請求項７】
視認可能なフォーマットが予め記録されている被記録物に対して、新たな記録内容を前記フォーマットに関連付けて記録する記録装置であって、
前記被記録物に予め記録されている前記フォーマットのイメージ画像を読み取る読取部と、
前記フォーマットのイメージ画像に含まれるブランク領域を検出するブランク検出部と、
前記被記録物における前記フォーマットの位置に基づいて、前記被記録物における前記ブランク領域の位置を判断するブランク位置判断部と、
前記ブランク領域の位置に関連付けて、前記ブランク領域に新たに記録する記録内容の入力を受け付ける入力部と、
前記記録装置における前記被記録物の位置を検出する被記録物検出部と、
前記被記録物への記録を行う記録ヘッドと、
前記記録ヘッドと前記被記録物との相対位置を制御し、前記被記録物における前記ブランク領域の位置を、前記記録ヘッドと対向する位置に合わせる書込位置制御部と、
前記記録ヘッドと対向する位置に合わせられた前記ブランク領域に、当該ブランク領域の位置に関連付けて入力された前記記録内容を記録する記録制御部と
を備える記録装置。
【請求項８】
前記フォーマットの前記イメージ画像と当該イメージ画像に含まれる前記ブランク領域とを示すプレビュー画像を表示する表示部を更に備え、
前記入力部は、前記プレビュー画像に表示されている前記ブランク領域に新たに記録すべき記録内容の入力を受け付ける、請求項７に記載の記録装置。
【請求項９】
前記ブランク検出部は、前記ブランク領域の範囲を判断し、
前記入力部は、前記ブランク領域に新たに記録する記録内容を、前記ブランク検出部が判断した前記ブランク領域の前記範囲に収まるサイズに調節した後に、サイズを調節した前記記録内容を前記記録制御部に送信する、請求項７に記載の記録装置。
【請求項１０】
前記読取部が読み取った前記イメージ画像に含まれる文字列を認識する文字認識部と、
前記文字認識部が認識した文字列のうちで、前記ブランク領域から所定の距離以内に予め記録されている文字列を抽出する文字列抽出部と、
前記入力部が、前記ブランク領域に新たに記録すべき前記記録内容の入力を受け付ける場合に、前記文字列抽出部が抽出した前記文字列を表示する表示部と
を更に備える、請求項７に記載の記録装置。
【請求項１１】
前記文字認識部は、認識した前記文字列の向きを判断し、
前記文字列抽出部は、前記ブランク領域から所定の距離以内に予め記録されている文字列が複数ある場合には、前記文字認識部が判断する前記文字列の向きを基準として、前記ブランク領域の左側又は上側に位置する文字列を優先的に抽出する、請求項１０に記載の記録装置。
【請求項１２】
前記文字認識部は、認識した前記文字列の文字の向きを判断し、
前記入力部は、入力を受け付ける前記記録内容の文字の向きを、前記文字認識部が認識した前記文字列の文字の向きに設定した上で、当該記録内容を前記記録制御部に送信し、
前記記録制御部は、前記記録ヘッドと対向する位置に合わせられた前記ブランク領域に、当該ブランク領域の位置に関連付けて入力された前記記録内容を、前記入力部が設定した文字の向きで記録する、請求項１０に記載の記録装置。
【請求項１３】
前記文字認識部は、前記イメージ画像に含まれる文字列のフォントサイズを判断し、
前記入力部は、入力を受け付ける前記記録内容のフォントサイズを、前記イメージ画像に含まれる文字列の前記フォントサイズに設定した上で、当該記録内容を前記記録制御部に送信し、
前記記録制御部は、前記記録ヘッドと対向する位置に合わせられた前記ブランク領域に、当該ブランク領域の位置に関連付けて入力された前記記録内容を、前記入力部が設定したフォントサイズで記録する、請求項１０に記載の記録装置。
【請求項１４】
視認可能なフォーマットが予め記録されている被記録物に対して、新たな記録内容を前記フォーマットに関連付けて記録する記録装置と、前記記録内容を入力する入力装置とを備える記録システムであって、
前記記録装置は、
前記被記録物に予め記録されている前記フォーマットのイメージ画像を読み取る読取部と、
前記フォーマットのイメージ画像に含まれるブランク領域を検出するブランク検出部と、
前記被記録物における前記フォーマットの位置に基づいて、前記被記録物における前記ブランク領域の位置を判断するブランク位置判断部と、
前記記録装置における前記被記録物の位置を検出する被記録物検出部と、
前記被記録物への記録を行う記録ヘッドと、
前記記録ヘッドと前記被記録物との相対位置を制御し、前記被記録物における前記ブランク領域の位置を、前記記録ヘッドと対向する位置に合わせる書込位置制御部と
を有し、
前記入力装置は、
前記記録装置から取得する、前記フォーマットのイメージ画像と、当該イメージ画像に含まれる前記ブランク領域とを示すプレビュー画像を表示する表示部と、
前記プレビュー画像に表示されている前記ブランク領域に新たに記録すべき記録内容の入力を受け付け、入力された前記記録内容を前記ブランク領域に関連づけて前記記録装置に送信する入力部と
を有し、
前記記録装置はさらに、
前記記録ヘッドと対向する位置に合わせられた前記ブランク領域に、前記入力装置において当該ブランク領域に関連付けて入力された前記記録内容を記録する記録制御部と
を有する記録システム。
【発明の詳細な説明】
【技術分野】
【０００１】
本発明は、書込位置が予め定められている被記録物に記録を行う記録装置、及び記録システムに関する。
【背景技術】
【０００２】
従来、多くの種類の帳票を電子化して管理する帳票処理システムが知られている。この帳票処理システムは、帳票に予め印刷されているフォーマットのイメージデータと、フォーマットにおける記入箇所の位置を示す位置データとを、帳票の種別に対応付けてデータベースに登録しておく。帳票には帳票の種別を示すバーコードが記録されている。システムは、入力しようとする帳票のイメージデータを読み取り、イメージデータに含まれるバーコードに基づいて帳票の種別を識別する。そして識別した種別に基づいてデータベースから記入箇所の位置データを読み出し、イメージデータに含まれる記入箇所の文字をＯＣＲ装置によって認識する。そして認識した文字を、帳票への記録内容として登録する（例えば、特許文献１参照）。
【特許文献１】特開２００２−３２７０４号公報
【発明の開示】
【発明が解決しようとする課題】
【０００３】
しかしながら、従来の技術では、データベースにフォーマットが登録されていない帳票に対して、新たな記録内容を記録することができないという課題があった。
【課題を解決するための手段】
【０００４】
上記課題を解決するために、本発明の第１の形態においては、被記録物に新たに記録する記録内容の被記録物における位置を示す書込位置をコード化して記録する被記録物に対して、記録内容を新たに記録する記録装置であって、被記録物から書込位置を読み取る読取部と、記録装置における被記録物の位置を検出する被記録物検出部と、被記録物への記録を行う記録ヘッドと、被記録物に新たに記録すべき記録内容の入力を受け付ける入力部と、記録ヘッドと被記録物との相対位置を制御し、被記録物における書込位置を、記録ヘッドと対向する位置に合わせる書込位置制御部と、記録ヘッドと対向する位置に合わせられた被記録物の書込位置に、入力部に入力された記録内容を記録する記録制御部とを備える記録装置が提供される。このような記録装置によれば、被記録物毎に予め定められている書込位置をコード化して記録している被記録物に対して、新たに記録すべき記録内容を書込位置に記録することができる。
【０００５】
上記の記録装置において、被記録物は、書込位置を識別する識別情報をコード化した上で、書込位置と関連づけて記録しており、読取部は、識別情報を書込位置と関連づけて更に読み取り、書込位置に関連づけられた識別情報を利用者に認識可能な状態で表示する表示部を更に備え、入力部は、表示部が、書込位置に関連づけられた識別情報を利用者に認識可能な状態で表示している状態で、書込位置に記録すべき記録内容の入力を受け付けて、入力された記録内容を書込位置に対応付けて記録制御部に送信し、書込位置制御部は、入力部が受け付けた記録内容に対応付けられている書込位置を、記録ヘッドと対向する位置に合わせ、記録制御部は、記録ヘッドと対向する位置に合わせられた被記録物の書込位置に、入力部に入力された記録内容を記録してもよい。このような記録装置によれば、書込位置が複数定められている場合であっても、利用者が意図した書込位置に記録内容を記録することができる。
【０００６】
上記の記録装置において、被記録物は、被記録物に予め記録されている視認可能なフォーマットの画像を示すイメージ情報と、フォーマットの被記録物における位置を示すフォーマット位置情報とをコード化した上で更に記録しており、読取部は、イメージ情報とフォーマット位置情報とを更に読み取り、読取部が読み取った書込位置とイメージ情報とフォーマット位置情報とに基づいて、被記録物におけるフォーマットと書込位置との位置関係を示すプレビュー画像を表示する表示部を更に備え、入力部は、表示部がプレビュー画像を表示している状態で、書込位置に新たに記録すべき記録内容の入力を受け付けて、入力された記録内容を記録制御部に送信してもよい。このような記録装置によれば、予め記録されているフォーマットと書込位置との位置関係を確認しながら記録内容を入力するので、入力作業の効率が向上する。
【０００７】
上記の記録装置において、被記録物は、書込位置毎に割り当てられた記録範囲をコード化した上で、書込位置と関連づけて更に記録しており、読取部は、記録範囲を書込位置と関連づけて更に読み取り、入力部は、入力を受け付ける記録内容を、当該記録内容の書込位置と関連づけて読取部に読み取られた記録範囲に収まるサイズに調節した後に、サイズを調節した記録内容を記録制御部に送信してもよい。このような記録装置によれば、書込位置毎に割り当てられた記録範囲に応じて適切なサイズで記録内容を記録することができる。
【０００８】
上記の記録装置において、被記録物は、書込位置における記録内容の向きをコード化した上で、書込位置と関連づけて更に記録しており、読取部は、記録内容の向きを書込位置と関連づけて更に読み取り、入力部は、入力を受け付けた記録内容の向きを、当該記録内容の書込位置と関連づけて読取部に読み取られた向きに調節した後に、向きを調節した記録内容を記録制御部に送信してもよい。このような記録装置によれば、被記録物毎に予め定められた向きで、記録内容を記録することができる。
【０００９】
本発明の第２の形態によれば、被記録物に新たに記録する記録内容の被記録物における位置を示す書込位置と、被記録物に予め記録されている視認可能なフォーマットの画像を示すイメージ情報と、フォーマットの被記録物における位置を示すフォーマット位置情報とをコード化して記録する被記録物に対して、記録内容を記録する記録装置と、記録内容を入力する入力装置を備える記録システムが提供される。当該記録システムにおいて、記録装置は、被記録物から、書込位置、イメージ情報、及びフォーマット位置情報を読み取る読取部と、記録装置における被記録物の位置を検出する被記録物検出部と、被記録物への記録を行う記録ヘッドと、記録ヘッドと被記録物との相対位置を制御し、被記録物から読み取った、被記録物における書込位置を、記録ヘッドと対向する位置に合わせる書込位置制御部とを備え、入力装置は、記録装置から取得する、書込位置とイメージ情報とフォーマット位置情報とに基づいて、被記録物におけるフォーマットと書込位置との位置関係を示すプレビュー画像を表示する表示部と、プレビュー画像に表示されている書込位置に新たに記録する記録内容の入力を受け付け、入力された記録内容を書込位置に関連づけて記録装置に送信する入力部とを有し、記録装置はさらに、記録ヘッドと対向する位置に合わせられた被記録物の書込位置に、入力装置から受信する記録内容を記録する記録制御部を有する。このような記録システムによれば、このような記録装置によれば、被記録物毎に予め定められている書込位置に、記録内容を適切に記録することができる。さらに、書込位置毎に割り当てられた記録範囲に応じて適切なサイズで記録内容を記録することができる。
【００１０】
本発明の第３の形態によれば、視認可能なフォーマットが予め記録されている被記録物に対して、新たな記録内容をフォーマットに関連付けて記録する記録装置であって、被記録物に予め記録されているフォーマットのイメージ画像を読み取る読取部と、フォーマットのイメージ画像に含まれるブランク領域を検出するブランク検出部と、被記録物におけるフォーマットの位置に基づいて、被記録物におけるブランク領域の位置を判断するブランク位置判断部と、ブランク領域の位置に関連付けて、ブランク領域に新たに記録する記録内容の入力を受け付ける入力部と、記録装置における被記録物の位置を検出する被記録物検出部と、被記録物への記録を行う記録ヘッドと、記録ヘッドと被記録物との相対位置を制御し、被記録物におけるブランク領域の位置を、記録ヘッドと対向する位置に合わせる書込位置制御部と、記録ヘッドと対向する位置に合わせられたブランク領域に、当該ブランク領域の位置に関連付けて入力された記録内容を記録する記録制御部とを備える記録装置が提供される。このような記録装置によれば、被記録物毎のフォーマットに合わせて、適切な位置に記録内容を記録することができる。
【００１１】
上記の記録装置は、フォーマットのイメージ画像と当該イメージ画像に含まれるブランク領域とを示すプレビュー画像を表示する表示部を更に備え、入力部は、プレビュー画像に表示されているブランク領域に新たに記録すべき記録内容の入力を受け付けてもよい。このような記録装置によれば、予め記録されているフォーマットを確認しながら記録内容を入力できるので、入力作業の効率が向上する。
【００１２】
上記の記録装置において、ブランク検出部は、ブランク領域の範囲を判断し、入力部は、ブランク領域に新たに記録する記録内容を、ブランク検出部が判断したブランク領域の範囲に収まるサイズに調節した後に、サイズを調節した記録内容を記録制御部に送信してもよい。このような記録装置によれば、ブランク領域の大きさに合わせたサイズで記録内容を記録することができる。
【００１３】
上記の記録装置は、読取部が読み取ったフォーマットの画像に含まれる文字列を認識する文字認識部と、文字認識部が認識した文字列のうちで、ブランク領域から所定の距離以内に予め記録されている文字列を抽出する文字列抽出部と、入力部が、ブランク領域に新たに記録すべき記録内容の入力を受け付ける場合に、文字列抽出部が抽出した文字列を表示する表示部とを更に備えてもよい。このような記録装置によれば、ブランク領域に記録すべき内容をユーザに容易に理解させることができる。
【００１４】
上記の記録装置において、文字認識部は、認識した文字列の向きを判断し、文字列抽出部は、ブランク領域から所定の距離以内に予め記録されている文字列が複数ある場合には、文字認識部が判断する文字列の向きを基準として、ブランク領域の左側又は上側に位置する文字列を優先的に抽出してもよい。このような記録装置によれば、行又は列の上位に位置する文字列を優先的に抽出して表示することにより、ブランク領域に関連性の強い文字列を表示することができる。これにより、ブランク領域に記録すべき内容を的確に想起させる情報を表示することができる。
【００１５】
上記の記録装置において、文字認識部は、認識した文字列の文字の向きを判断し、入力部は、入力を受け付ける記録内容の文字の向きを、文字列認識部が認識した文字列の文字の向きに設定した上で、当該記録内容を記録制御部に送信し、記録制御部は、記録ヘッドと対向する位置に合わせられたブランク領域に、当該ブランク領域の位置に関連付けて入力された記録内容を、入力部が設定した文字の向きで記録してもよい。このような記録装置によれば、新たに記録する記録内容のフォントの向きを、予め記録されているフォーマットにおけるフォントの向きに容易に合わせることができる。
【００１６】
上記の記録装置において、文字認識部は、イメージ画像に含まれる文字列のフォントサイズを判断し、入力部は、入力を受け付ける記録内容のフォントサイズを、イメージ画像に含まれる文字列のフォントサイズに設定した上で、当該記録内容を記録制御部に送信し、記録制御部は、記録ヘッドと対向する位置に合わせられたブランク領域に、当該ブランク領域の位置に関連付けて入力された記録内容を、入力部が設定したフォントサイズで記録してもよい。このような記録装置によれば、新たに記録する記録内容のフォントサイズを、予め記録されているフォーマットにおけるフォントサイズに容易に合わせることができる。
【００１７】
本発明の第４の形態によれば、視認可能なフォーマットが予め記録されている被記録物に対して、新たな記録内容をフォーマットに関連付けて記録する記録装置と、記録内容を入力する入力装置とを備える記録システムが提供される。当該記録システムにおいて、記録装置は、被記録物に予め記録されているフォーマットのイメージ画像を読み取る読取部と、フォーマットのイメージ画像に含まれるブランク領域を検出するブランク検出部と、被記録物におけるフォーマットの位置に基づいて、被記録物におけるブランク領域の位置を判断するブランク位置判断部と、記録装置における被記録物の位置を検出する被記録物検出部と、被記録物への記録を行う記録ヘッドと、記録ヘッドと被記録物との相対位置を制御し、被記録物におけるブランク領域の位置を、記録ヘッドと対向する位置に合わせる書込位置制御部とを有し、入力装置は、記録装置から取得する、フォーマットのイメージ画像と、当該イメージ画像に含まれるブランク領域とを示すプレビュー画像を表示する表示部と、プレビュー画像に表示されているブランク領域に新たに記録すべき記録内容の入力を受け付け、入力された記録内容をブランク領域に関連づけて記録装置に送信する入力部とを有し、記録装置はさらに、記録ヘッドと対向する位置に合わせられたブランク領域に、入力装置において当該ブランク領域に関連付けて入力された記録内容を記録する記録制御部とを有する。このような記録システムによれば、被記録物毎のフォーマットに合わせて、適切な位置に記録内容を記録することができる。さらに、予め記録されているフォーマットを確認しながら記録内容を入力できるので、入力作業の効率が向上する。
【００１８】
なお、上記の発明の概要は、本発明の必要な特徴の全てを列挙したものではなく、これらの特徴群のサブコンビネーションもまた、発明となりうる。
【発明を実施するための最良の形態】
【００１９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２０】
図１及び図２は、記録装置の一例であるインクジェット式記録装置１０の構造を示す。図１は、インクジェット式記録装置１０の斜視図を示す。図２はインクジェット式記録装置１０の断面概略図を示す。なお、図２において、インクジェット式記録装置１０は、記録中の被記録物１１と共に図示している。
【００２１】
インクジェット式記録装置１０は、複数の被記録物１１を保持する被記録物トレイ１２、被記録物トレイ１２から押し出された被記録物１１を給送する給送部２０、給送部２０が給送した被記録物１１を液体噴射領域に搬送する搬送部３０、液体噴射領域において被記録物１１に記録を行う記録部４０、被記録物１１を液体噴射領域から排出する排出部５０、ステップモータ６０、被記録物１１に予め記録されている情報を読み取るリーダ１５０、及びインクジェット式記録装置１０全体を制御する制御部８０を備える。被記録物トレイ１２は、被記録物トレイ１２に載置されている被記録物１１を押し出すホッパ１２４を有する。
【００２２】
給送部２０は、給送ローラ２２、及び給送ローラ２２に連れ回るリタードローラ２４を有する。給送ローラ２２とリタードローラ２４は、ホッパ１２４によって被記録物トレイ１２から押し出された被記録物１１の束のうち、最上位に位置する被記録物１１を互いの間に挟み、被記録物１１を一つずつ搬送部３０に搬送する。
【００２３】
搬送部３０は、ステップモータ６０により回転する搬送ローラ３２、及び搬送ローラ３２に連れ回る搬送従動ローラ３４を有する。搬送ローラ３２は、給送部２０が給送した被記録物１１を搬送従動ローラ３４との間に挟んで回転し、被記録物１１をプラテン１００上面の液体噴射領域に搬送する。
【００２４】
記録部４０は、図１に示すキャリッジ４２、記録ヘッド４４、及びキャリッジ４２を移動させるモータ４８を有する。さらに、被記録物１１の給送方向に対して略垂直な方向である主走査方向にキャリッジ４２をスライド可能に支持するガイド板４６を有する。
【００２５】
排出部５０は、ステップモータ６０により回転する排出ローラ５２、及び排出ローラ５２に連れ回る排出従動ローラ５４を有する。排出ローラ５２は、排出従動ローラ５４との間に記録後の被記録物１１を挟んで回転し、液体噴射領域から排出する。
【００２６】
なお、搬送ローラ３２及び排出ローラ５２には、ステップモータ６０から一本のベルト６２を介して動力が伝達される。ベルト６２には、テンショナー６４により張力が与えられている。ステップモータ６０、テンショナー６４、搬送ローラ３２、及び排出ローラ５２は、ベルトの流れ方向においてこの順に配列される。
【００２７】
上記の構成において、制御部８０は、キャリッジ４２をガイド板４６に沿って往復させつつ記録ヘッド４４のノズルから液体を吐出させる。そして、制御部８０は、キャリッジ４２が一走査する毎に被記録物１１を搬送することで、被記録物１１の全体に記録を行う。なお、インクジェット式記録装置１０は、記録ヘッド４４の往路及び復路の双方で記録を行う場合もあるし、一方だけで記録を行う場合もある。
【００２８】
図３は、本実施形態の第１実施例に関する定型フォーマット用紙２００を示す。定型フォーマット用紙２００は、被記録物１１の一例である。定型フォーマット用紙２００には、視認可能な定型のフォーマット２０６が予め印刷されている。フォーマット２０６は、文字、罫線、図、及び画像を含む。定型フォーマット用紙２００に新たに記録する記録内容の定型フォーマット用紙２００における位置を示す書込位置２０２は、フォーマット２０６に対応して予め定められている。定型フォーマット用紙２００は、書込位置２０２をリーダ１５０によって読み取り可能にコード化して記録する二次元コード２０４を有する。二次元コード２０４は、定型フォーマット用紙２００の表面又は裏面に記録されている。
【００２９】
書込位置２０２をリーダ１５０によって読み取り可能にコード化して記録する記録方式は、二次元コードには限定されない。例えば、バーコードでもよいし、接触式又は非接触式のＩＣチップであってもよい。書込位置２０２は、例えば用紙外形２１０との相対位置を示す情報、例えば用紙外形２１０の左側の端部からの距離と上側の端部からの距離であってもよいし、予め記録されているフォーマット２０６との相対位置を示す情報、例えば下線の端部からの横方向の距離と下線からの縦方向の距離であってもよい。
【００３０】
また、定型フォーマット用紙２００は、一枚の定型フォーマット用紙２００に書込位置２０２が複数ある場合、書込位置２０２を識別する識別情報２０８を書込位置２０２と同様にコード化した上で、書込位置２０２と関連づけて記録している。識別情報２０８は、例えば定型フォーマット用紙２００の左上から右下の方向に順に採番された連番である。識別情報２０８は、他にも書込位置２０２のそれぞれに割り当てられた項目名であってもよい。尚、図中の書込位置２０２を示す点線、及び識別情報２０８を示す丸囲み数字は、説明の為に図示しているが、定型フォーマット用紙２００に視認可能に予め印刷されているわけではない。
【００３１】
図４は、本実施形態にかかる記録システム６００の機能構成の第１実施例を示す。記録システム６００は、インクジェット式記録装置１０及び入力装置５００を備える。入力装置５００は、表示部５０４及び入力部５０２を有する装置である。入力装置５００は、例えば表示部５０４としてモニタを有し、入力部５０２としてキーボードを有するパーソナルコンピュータである。インクジェット式記録装置１０は、読取部１５４、被記録物検出部１５２、書込位置制御部８４、搬送部３０、キャリッジ駆動部４９、記録ヘッド４４、及び記録制御部８２を備える。
【００３２】
読取部１５４は、定型フォーマット用紙２００の二次元コード２０４から書込位置２０２を読み取る。被記録物検出部１５２は、インクジェット式記録装置１０における定型フォーマット用紙２００の位置を検出する。被記録物検出部１５２は、用紙外形２１０の位置を光学的に検出して定型フォーマット用紙２００の位置として出力する。被記録物検出部１５２及び読取部１５４は、例えば図２におけるリーダ１５０である。入力部５０２は、定型フォーマット用紙２００に新たに記録すべき記録内容の入力を受け付ける。表示部５０４は、入力部５０２で入力を受け付ける記録内容を表示する。
【００３３】
書込位置制御部８４は、記録ヘッド４４と定型フォーマット用紙２００との相対位置を制御し、定型フォーマット用紙２００における書込位置２０２を、記録ヘッド４４と対向する位置に合わせる。例えば、書込位置制御部８４は、被記録物検出部１５２が検出する用紙外形２１０に基づいて搬送部３０を制御することにより、インクジェット式記録装置１０に対する定型フォーマット用紙２００の副走査方向の位置を制御する。また、書込位置制御部８４は、キャリッジ駆動部４９を制御して、主走査方向における記録ヘッド４４の位置を制御する。このようにして、書込位置制御部８４は、記録ヘッド４４と定型フォーマット用紙２００との相対位置を制御する。キャリッジ駆動部４９は、図１におけるモータ４８とガイド板４６を含む。記録制御部８２は、記録ヘッド４４と対向する位置に合わせられた書込位置２０２に、入力部５０２に入力された記録内容を記録する。このようにして、記録システム６００は、定型フォーマット用紙２００毎に予め定められている書込位置２０２に、記録内容を適切に記録することができる。記録制御部８２及び書込位置制御部８４は、図２に示した制御部８０の一例である。
【００３４】
読取部１５４は、識別情報２０８を書込位置２０２と関連づけて更に読み取る。この場合、表示部５０４は、読取部１５４によって書込位置２０２に関連づけて読み取られた識別情報２０８を利用者に認識可能な状態で表示する。例えば、表示部５０４は書込位置２０２のそれぞれに割り当てられた連番を表示する。入力部５０２は、表示部５０４が、書込位置２０２に関連づけられた識別情報２０８を利用者に認識可能な状態で表示している状態で、書込位置２０２に記録すべき記録内容の入力を受け付けて、入力された記録内容を書込位置２０２に対応付けて記録制御部８２に送信する。書込位置制御部８４は、入力部５０２が受け付けた記録内容に対応付けられている書込位置２０２を記録制御部８２から受信し、受信した書込位置２０２を記録ヘッド４４と対向する位置に合わせる。記録制御部８２は、記録ヘッド４４と対向する位置に合わせられた書込位置２０２に、入力部５０２に入力された記録内容を記録する。これにより、一枚の定型フォーマット用紙２００において書込位置２０２が複数定められている場合であっても、利用者が意図した書込位置２０２に記録内容を記録することができる。
【００３５】
二次元コード２０４は、さらに、フォーマット２０６の画像を示すイメージ情報と、フォーマット２０６の定型フォーマット用紙２００における位置を示すフォーマット位置情報とを記録している。イメージ情報は、フォーマット２０６に含まれる枠、線、文字、絵などのイメージを示す情報である。フォーマット位置情報は、例えば、フォーマット２０６と用紙外形２１０を合成したイメージである。フォーマット位置情報は、フォーマット２０６の用紙外形２１０に対する距離であってもよい。
【００３６】
この場合、読取部１５４は、イメージ情報とフォーマット位置情報とを更に読み取る。表示部５０４は、読取部１５４が読み取った書込位置２０２とイメージ情報とフォーマット位置情報とに基づいて、定型フォーマット用紙２００におけるフォーマット２０６と書込位置２０２との位置関係を示すプレビュー画像を表示する。読取部１５４が示すプレビュー画像は、例えば図３に示す定型フォーマット用紙２００の画像である。入力部５０２は、表示部５０４がプレビュー画像を表示している状態で、書込位置２０２に新たに記録すべき記録内容の入力を受け付けて、入力された記録内容を記録制御部８２に送信する。書込位置制御部８４は、入力部５０２が受け付けた記録内容に対応付けられている書込位置２０２を記録制御部８２から受信し、受信した書込位置２０２を記録ヘッド４４と対向する位置に合わせる。記録制御部８２は、記録ヘッド４４と対向する位置に合わせられた書込位置２０２に、入力部５０２に入力された記録内容を記録する。これにより、予め記録されているフォーマット２０６と書込位置２０２との位置関係を確認しながら記録内容を入力するので、利用者の入力作業の効率が向上する。
【００３７】
また、二次元コード２０４は、さらに、書込位置２０２毎に割り当てられた記録範囲を書込位置２０２と関連づけて記録している。二次元コード２０４が記録する記録範囲とは、書込位置２０２毎に記録可能な縦方向の寸法と横方向の寸法である。この場合、読取部１５４は、記録範囲を書込位置２０２と関連づけて更に読み取る。入力部５０２は、入力を受け付ける記録内容を、当該記録内容の書込位置２０２と関連づけて読取部１５４に読み取られた記録範囲に収まるサイズに調節する。サイズの調節は、拡大及び縮小を含む。そして、サイズを調節した記録内容を記録制御部８２に送信する。記録制御部８２は、記録ヘッド４４と対向する位置に合わせられた書込位置２０２に、入力部５０２に入力された記録内容を記録する。これにより、書込位置２０２毎に割り当てられた記録範囲に応じて適切なサイズで記録内容を記録することができる。
【００３８】
また、二次元コード２０４は、さらに、書込位置２０２における記録内容の向きを書込位置２０２と関連づけて記録している。記録内容の向きは、例えば記録内容に含まれる文字の向きである。この場合、読取部１５４は、記録内容の向きを書込位置２０２と関連づけて更に読み取る。入力部５０２は、入力を受け付ける記録内容の向きを、当該記録内容の書込位置２０２と関連づけて読取部１５４に読み取られた向きに調節する。そして、向きを調節した記録内容を記録制御部８２に送信する。記録制御部８２は、記録ヘッド４４と対向する位置に合わせられた書込位置２０２に、入力部５０２に入力された記録内容を記録する。これにより、定型フォーマット用紙２００毎に予め定められた向きで、記録内容を記録することができる。
【００３９】
なお、本実施例において、インクジェット式記録装置１０と入力装置５００は別個の構成としたが、記録システム６００の構成は本実施例に限られない。例えば、インクジェット式記録装置１０は、入力装置５００の機能を更に備えていてもよい。すなわち、インクジェット式記録装置１０は、本実施例における記録システム６００の機能をすべて備えていてもよい。
図５は、本実施例における定型フォーマット用紙２００の出力例である。本図の例に示すように、インクジェット式記録装置１０は、定型フォーマット用紙２００毎に予め定められている書込位置２０２（図３）に、記録内容２５０を適切に記録することができる。
【００４０】
図６は、本実施形態の第２実施例に関する定型フォーマット用紙３００を示す。定型フォーマット用紙３００は、被記録物１１の他の例である。定型フォーマット用紙３００には、視認可能な定型のフォーマットが予め印刷されている。定型のフォーマットは、文字、罫線、図、及び画像を含む。本実施例の定型フォーマット用紙３００は、二次元コード２０４を有していない点で第１実施例の定型フォーマット用紙２００と異なる。その他の点において、定型フォーマット用紙３００は定型フォーマット用紙２００と同様である。定型フォーマット用紙３００は、予め印刷されている視認可能なフォーマット３０２として、例えば罫線３０６、下線３０４、及び文字列３０８を有する。
【００４１】
図７は、本実施例に関する記録システム６００の機能構成を示す。本実施例のインクジェット式記録装置１０の構成は、第１実施例における構成に加えて、ブランク検出部１５６、ブランク位置判断部１５８、文字認識部１６０、及び文字列抽出部１６２を有する。他の構成は、第１実施例と同様なので説明を省略する。本実施例のインクジェット式記録装置１０は、視認可能なフォーマット３０２が予め記録されている定型フォーマット用紙３００に対して、新たな記録内容をフォーマット３０２に関連付けて記録する。
【００４２】
読取部１５４は、定型フォーマット用紙３００に予め記録されているフォーマット３０２のイメージ画像を読み取る。読取部１５４は、さらに用紙外形３１０を読み取る。ブランク検出部１５６は、フォーマット３０２のイメージ画像に含まれるブランク領域３０７を検出する。ブランク検出部１５６は、例えば、罫線３０６に囲まれる領域で文字を含まない領域をブランク領域３０７として検出する。また、ブランク検出部１５６は、フォーマット３０２のイメージ画像に含まれる文字の間のブランクをブランク領域３０７として検出する。また、ブランク検出部１５６は、文字の横に記録された下線３０４の上側をブランク領域３０７として検出する。ブランク位置判断部１５８は、用紙外形３１０におけるフォーマット３０２の位置に基づいて、定型フォーマット用紙３００におけるブランク領域３０７の位置を判断する。文字認識部１６０は、読取部１５４が読み取ったフォーマット３０２の画像に含まれる文字を認識する。文字列抽出部１６２は、文字認識部１６０が認識した文字のうちで、ブランク領域３０７から所定の距離以内に予め記録されている文字を抽出する。所定の距離とは、例えば１０ｍｍ等、絶対的な距離で設定されていてもよいし、ブランク領域３０７の範囲を基準として、ブランク領域３０７の短辺と同一の寸法を所定の距離としてもよい。
【００４３】
入力部５０２は、ブランク領域３０７の位置に関連付けて、ブランク領域３０７に新たに記録する記録内容の入力を受け付ける。被記録物検出部１５２は、インクジェット式記録装置１０における定型フォーマット用紙３００の位置を検出する。書込位置制御部８４は、記録ヘッド４４と定型フォーマット用紙３００との相対位置を制御し、定型フォーマット用紙３００におけるブランク領域３０７の位置を、記録ヘッド４４と対向する位置に合わせる。記録制御部８２は、記録ヘッド４４と対向する位置に合わせられたブランク領域３０７に、当該ブランク領域３０７の位置に関連付けて入力された記録内容を記録する。これにより、定型フォーマット用紙３００毎のフォーマット３０２に合わせて、適切な位置に記録内容を記録することができる。
【００４４】
表示部５０４は、フォーマット３０２のイメージ画像と当該イメージ画像に含まれるブランク領域３０７とを示すプレビュー画像を表示する。入力部５０２は、プレビュー画像に表示されているブランク領域３０７に新たに記録すべき記録内容の入力を受け付ける。これにより、予め記録されているフォーマット３０２を確認しながら記録内容を入力できるので、入力作業の効率が向上する。
【００４５】
ブランク検出部１５６は、ブランク領域３０７の範囲を判断する。入力部５０２は、ブランク領域３０７に新たに記録する記録内容を、ブランク検出部１５６が判断したブランク領域３０７の範囲に収まるサイズに調節する。入力部５０２は、サイズを調節した記録内容を記録制御部８２に送信する。記録制御部８２は、記録ヘッド４４と対向する位置に合わせられたブランク領域３０７に、入力部５０２に入力された記録内容を記録する。これにより、ブランク領域３０７の大きさに合わせたサイズで記録内容を記録することができる。なお、ブランク領域３０７の範囲とは、罫線３０６内のブランクの場合は、罫線３０６の縦横間隔、文字列３０８の間のブランクの場合は文字間隔、下線３０４の場合は下線の長さと下線に隣接する文字の高さにより決定する。記録内容のサイズの調節は、記録内容全体を一括で拡大又は縮小する。記録内容が文字の場合は、個々のフォントサイズを拡大又は縮小してもよい。
【００４６】
表示部５０４は、入力部５０２が、ブランク領域３０７に新たに記録すべき記録内容の入力を受け付ける場合に、文字列抽出部１６２が抽出した文字、即ちブランク領域３０７から所定の距離以内に記録されている文字を表示する。例えば、図６のフォーマット３０２において、罫線３０６の内部の左上に位置するブランク領域３０７の直上には、「品名」という文字列３０８が予め記録されている。文字列抽出部１６２は、当該ブランク領域３０７と関連づけて「品名」という文字列３０８を抽出する。表示部５０４は、このブランク領域３０７への入力を受け付ける場合に、文字列抽出部１６２が抽出した「品名」という文字列３０８を表示する。これにより、ブランク領域３０７に記録すべき内容をユーザに容易に理解させることができる。
【００４７】
文字認識部１６０は、認識した文字列３０８の向きを判断する。文字列抽出部１６２は、ブランク領域３０７から所定の距離以内に予め記録されている文字列３０８が複数ある場合には、文字認識部１６０が判断する文字列３０８の向きを基準として、ブランク領域３０７の左側又は上側に位置する文字列３０８を優先的に抽出する。これにより、例えば罫線３０６における行又は列の上位に位置する文字列３０８を優先的に抽出して表示することができる。これにより、ブランク領域３０７に関連性の強い文字列３０８を表示し、ブランク領域３０７に記録すべき内容を的確に利用者に想起させることができる。
【００４８】
入力部５０２は、入力を受け付ける記録内容の文字の向きを、文字認識部１６０が認識した文字列３０８の文字の向きに設定した上で、当該記録内容を記録制御部８２に送信する。記録制御部８２は、記録ヘッド４４と対向する位置に合わせられたブランク領域３０７に、当該ブランク領域３０７の位置に関連付けて入力された記録内容を、入力部５０２が設定した文字の向きで記録する。これにより、新たに記録する記録内容のフォントの向きを、予め記録されているフォーマット３０２におけるフォントの向きに容易に合わせることができる。
【００４９】
また、文字認識部１６０は、フォーマット３０２画像に含まれる文字列３０８のフォントサイズを判断する。入力部５０２は、入力を受け付ける記録内容のフォントサイズを、フォーマット３０２画像に含まれる文字列３０８のフォントサイズに設定した上で、当該記録内容を記録制御部８２に送信する、記録制御部８２は、記録ヘッド４４と対向する位置に合わせられたブランク領域３０７に、当該ブランク領域３０７の位置に関連付けて入力された記録内容を、入力部５０２が設定したフォントサイズで記録する。これにより、新たに記録する記録内容のフォントサイズを、予め記録されているフォーマット３０２におけるフォントサイズに容易に合わせることができる。
【００５０】
なお、本実施例において、インクジェット式記録装置１０と入力装置５００は別個の構成としたが、記録システム６００の構成は本実施例に限られない。例えば、インクジェット式記録装置１０は、入力装置５００の機能を更に備えていてもよい。すなわち、インクジェット式記録装置１０は、本実施例における記録システム６００の機能をすべて備えていてもよい。
図８は、定型フォーマット用紙３００の出力例である。本図に示すように、インクジェット式記録装置１０は、定型フォーマット用紙３００毎のフォーマット３０２に合わせて、適切なブランク領域３０７（図６）に記録内容３５０を記録することができる。
【００５１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５２】
【図１】インクジェット式記録装置１０の斜視図である。
【図２】インクジェット式記録装置１０の断面概略図である。
【図３】被記録物１１の一例である定型フォーマット用紙２００を示す。
【図４】インクジェット式記録装置１０の機能構成の第１実施例を示す。
【図５】定型フォーマット用紙２００の出力例である。
【図６】被記録物１１の他の例である定型フォーマット用紙３００を示す。
【図７】インクジェット式記録装置１０の機能構成の第２実施例を示す。
【図８】定型フォーマット用紙３００の出力例である。
【符号の説明】
【００５３】
１０  インクジェット式記録装置、１１  被記録物、１２  被記録物トレイ、２０  給送部、２２  給送ローラ、２４  リタードローラ、３０  搬送部、３２  搬送ローラ、３４  搬送従動ローラ、４０  記録部、４２  キャリッジ、４４  記録ヘッド、４６  ガイド板、４８  モータ、４９  キャリッジ駆動部、５０  排出部、５２  排出ローラ、５４  排出従動ローラ、６０  ステップモータ、６２  ベルト、８０  制御部、８２  記録制御部、８４  書込位置制御部、１００  プラテン、１２４  ホッパ、１５０  リーダ、１５２  被記録物検出部、１５４  読取部、１５６  ブランク検出部、１５８  ブランク位置判断部、１６０  文字認識部、１６２  文字列抽出部、２００  定型フォーマット用紙、２０２  書込位置、２０４  二次元コード、２０６  フォーマット、２０８  識別情報、２１０  用紙外形、２５０  記録内容、３００  定型フォーマット用紙、３０２  フォーマット、３０４  下線、３０６  罫線、３０８  文字列、３０７  ブランク領域、３１０  用紙外形、３５０  記録内容、５００  入力装置、５０２  入力部、５０４  表示部、６００  記録システム
【図１】
2006168131.tif 000003
【図２】
2006168131.tif 000004
【図３】
2006168131.tif 000005
【図４】
2006168131.tif 000006
【図５】
2006168131.tif 000007
【図６】
2006168131.tif 000008
【図７】
2006168131.tif 000009
【図８】
2006168131.tif 000010